(57)【特許請求の範囲】
【請求項１】
潜像部と検証部を有する認証媒体において、
検証部は検証部内の全面が均一なピッチで形成された第一の穿孔群からなり、
潜像部は第一の穿孔群と同一のピッチで形成された非潜像画像を形成している第二の穿孔群と、
第一の穿孔群と異なるピッチで形成された潜像画像を形成している第三の穿孔群からなり、
潜像部内の全面が第二の穿孔群または第三の穿孔群からなっていることを特徴とする認証媒体。
【請求項２】
検証部と潜像部が、同一基材に形成されていること特徴とする請求項１記載の認証媒体。
【請求項３】
前記認証媒体の基材が、可撓性をもつ素材であることを特徴とする請求項１または２に記載の認証媒体。
【請求項４】
前記穿孔の径（Ф）は０．０５ｍｍ＜Ф＜０．５ｍｍの範囲であり、
且つ、該穿孔間のピッチ（Ｐ）がФ＜Ｐ＜３Фであることを特徴とする請求項１〜３のいずれか１項に記載の認証媒体。
【発明の詳細な説明】
【技術分野】
【０００１】
本発明は、銀行券、有価証券、パスポート、印紙、カード類の真贋判定が必要なものに付与する、穿孔により形成される認証媒体に関する。特に、コピーやスキャニングによる複製が困難な、偽造防止用の認証媒体に関する。
【背景技術】
【０００２】
従来、銀行券、有価証券、パスポート、印紙、カード類には真贋判定が必要不可欠であることから、偽造の困難な媒体を付加してきた。例えば、印刷機で容易に偽造品を増刷することができないよう、ホログラム、蛍光インキ、センサーインキ、マイクロフォント、透かし、潜像文字、モアレ、ラインエンボス、細紋などの偽造防止媒体が挙げられる。
【０００３】
しかし、近年の家庭用カラープリンターやカラーコピー機、スキャナーの技術の発達により、これらの機械を用いて、印刷技術を用いた、微細な印刷や色等を用いた偽造防止媒体が再現された偽造品を作成することが容易となっている。そこで、現在、カラープリンターやカラーコピー機、スキャナーによる偽造に対応した偽造防止媒体が提案されている（特許文献１）。
【０００４】
特許文献１では、用紙の表面にコピー時に再現されやすい網点と、コピー時に再現されにくい網点で潜像を構成してなる背景を複写する偽造防止用紙において、前記潜像を構成する網点を０．３ｍｍ２の方形面積の中で、濃度が１５〜１７％の面積を示す大きさとし、かつ、コピー時のトーンジャンプによるドット面積拡大が可能な形状の微細子となし、前期背景を構成する網点を、１５０線で、その濃度が１０％程度の微細子に設定したことを特徴とした偽造防止用紙を開示している。
【０００５】
トーンジャンプによるドット面積拡張が可能な形状の微細子として、Ｌ型の微細子、Ｖ字型微細子が開示されている。これらの微細子によれば、仰角９０度の内角を形成した内角部において、ドットゲインに伴うトートジャンプが起こる。これにより各微細子のドット面積が増大し、コピー紙に複写される潜像を濃色で強調表示させることが可能である（特許文献２）。
【０００６】
特許文献２では、用紙などの支持体の同一面上もしくは異なる面に地紋印刷部に潜像を埋め込み、検証用フィルムと同一の機能を有する複数の貫通した穿孔により形成された穿孔加工部からなる検証デバイスとを具有し、基材を折りたたむなど変形させて、潜像デバイスに対して検証デバイスを重ね合わせたときに潜像画像が出現することにより特別な検証用フィルムを使用せずに媒体のみで有価証券類の真贋判定が正確に容易に行える偽造防止媒体を開示している。
【０００７】
特許文献２の潜像デバイスに使用される地紋印刷部は、通常印刷画像と万線パターンを印刷した画像形成体において、前記万線パターンには潜像万線パターンを備え、この万線パターンにおける潜像万線パターンは、潜像万線パターンの内側領域と外側領域のそれぞれ平行直線のピッチ位相をずらすことにより形成されており、潜像万線パターンの図形の輪郭に沿って、万線位相ずれ部が形成されている。
【０００８】
また、支持体の同一面内もしくは異なる面に地紋印刷部に埋め込まれた潜像部からなる潜像デバイスと検証用フィルムと同一の機能を有する複数の貫通した穿孔と、非貫通の穿孔とで形成された穿孔加工部からなる検証デバイスとを具有し、該支持体を変形させ、潜像デバイスに対して検証デバイスを重ね合わせたときに、潜像画像が出現することにより
、穿孔加工部自体での真贋判定も可能となる偽造防止媒体を開示している。
【０００９】
また、非貫通の穿孔箇所と潜像画像の形成箇所とを重ね合わせることで、さらに偽造防止を得ることが出来る偽造防止媒体を開示している。
【先行技術文献】
【特許文献】
【００１０】
【特許文献１】特許第３５３８１６９号
【特許文献２】特開２００９−１６６３５１
【発明の概要】
【発明が解決しようとする課題】
【００１１】
しかしながら、特許文献１に関し、近年、複写機の性能が飛躍的に向上しており、コピー用紙に表示される潜像の濃色を従来以上に高めた偽造防止用紙が求められるようになっている。
【００１２】
また、偽造防止用紙には、複写方向によって、潜像の濃色の度合いが変化しないような特性が求められているところ、特許文献１のＬ型微細子、Ｖ型微細子、凹型微細子ではそのような要求を満足させることが出来ない。
【００１３】
そして、特許文献２に関して、潜像を埋め込むための地紋印刷部には、地紋以外の柄を施すことが出来ないというデザインに対する制約が生じる。地紋の柄も、潜像を埋め込みやすいデザインを選ばなくてはならない。
【００１４】
また、潜像を埋め込んだ地紋を印刷する際には、繊細な位置合わせが必要となり、高度な印刷技術が求められる。
【００１５】
さらに、真贋判定を行う際には、地紋の施された基材に直径０．１〜０．３ｍｍの穿孔を重ねたとき、基材の厚みによって、穿孔の中が暗くなり見えにくく、色の濃淡に差が小さい場合は特に、穿孔の中に見える地紋の色を判別しにくくなるため、真贋判定を即座に行うことが難しい。
【００１６】
本発明はこのような従来技術の問題点を解決しようとするものであり、カラーコピー等で複写することが不可能であり、さらに媒体上に施す印刷などによるデザインに対する制約を与えず、印刷時の微細な位置合わせの難しさをなくし、且つ、判別が容易な、基材への物理的加工による真贋判定用の認証媒体を提案することを目的とする。
【課題を解決するための手段】
【００１７】
本発明において、上記課題を達成するために、まず請求項１の発明は、潜像部と検証部を有する認証媒体において、検証部は検証部内の全面が均一なピッチで形成された第一の穿孔群からなり、潜像部は第一の穿孔群と同一のピッチで形成された非潜像画像を形成している第二の穿孔群と、第一の穿孔群と異なるピッチで形成された潜像画像を形成している第三の穿孔群からなり、潜像部内の全面が第二の穿孔群または第三の穿孔群からなっていることを特徴とする認証媒体としたものである。
【００１８】
また、請求項２の発明は、検証部と潜像部が、同一基材に形成されていること特徴とする請求項１記載の認証媒体としたものである。
【００１９】
また、請求項３の発明は、前記認証媒体の基材が、可撓性をもつ素材であることを特徴とする請求項１または２に記載の認証媒体としたものである。
【００２０】
また、請求項４の発明は、前記穿孔の径（Ф）は０．０５ｍｍ＜Ф＜０．５ｍｍの範囲であり、且つ、該穿孔間のピッチ（Ｐ）がФ＜Ｐ＜３Фであることを特徴とする請求項１〜３のいずれか１項に記載の認証媒体としたものである。
【００２１】
また、請求項５の発明は、前記潜像部となる第二の穿孔群および第三の穿孔群において、潜像画像を形成する第三の穿孔群のピッチが、非潜像画像となる第二の穿孔群のピッチ（Ｐ）と同一のピッチで設けられ、第二の潜像部の穿孔に対して０．５Ф＜Ｗ＜Фピッチずらすことを特徴とする請求項１〜４のいずれか１項に記載の認証媒体としたものである。
【発明の効果】
【００２２】
請求項１に記載の本発明より、穿孔であることから、カラーコピーによる偽造は不可能であり、複製を作成しようとすると、実際に１枚１枚の基材に穿孔を穿つという作業となることから、一般に入手可能な機械では量産した偽造品の作成は不可能である。このことから、特殊な設備を持たない一般の人々が大量の偽造を行うことが難しく、偽造に対する十分な抑止効果を得ることが可能となる。
【００２３】
また、請求項１に記載の本発明より、基材にすべて印刷を行った後に、潜像部を形成する穿孔と検証部を形成する穿孔とを１度に穿つことができるので、位置合わせが容易である。
【００２４】
請求項２に記載の本発明により、検証部と潜像部が１枚の基材に設けられていることから、検証機の普及を考えることなく、個人が手軽に真贋の認証を行うことが可能となる。
【００２５】
請求項３に記載の本発明により、たとえば、紙やプラスチック、金属、またはこれらを複合させた材料などで、可撓性を持つ状態であれば、すべての素材において偽造防止技術を付加することが可能となる。
【００２６】
請求項４に記載の本発明により、微細な穿孔であることから、デザインを阻害することなく潜像部と検証部を設けることが可能であり、且つ、潜像部と検証部を重ね合わせたときに、第三の穿孔群を潜像画像として確認することが容易な穿孔の大きさにすることが可能となる。
【図面の簡単な説明】
【００２８】
【図１】本発明に係わる認証媒体の１実施例を示す平面図であり、（ａ）は、本発明に係わる認証媒体の１実施例を示す全体平面図であり、（ｂ）は、本発明に係わる認証媒体の１実施例を示す平面図の潜像媒体部分を拡大した部分平面図である。
【図２】本発明に係わる認証媒体の検証媒体を、潜像媒体に重ねた時に支持体の同一面が向き合うように支持体を変形させた状態を示す斜視図である。
【図３】本発明に係わる認証媒体を変形させ、検証媒体を潜像媒体に重ねたときに出現した潜像画像の１実施例を示す平面図である。
【図４】本発明の認証媒体の、検証媒体の穿孔と潜像媒体の穿孔を重ねたときの状態を示した状態の斜視図である。
【図５】本発明に係わる認証媒体の、認証部と潜像部を重ね合わせたときの図であり、（ａ）は、本発明に係わる認証媒体の、認証媒体と潜像媒体を重ね合わせたときの図１で示したＸ−Ｙ箇所の断面図であり、（ｂ）は、（ａ）の断面の状態によって得られる穿孔の貫通、非貫通の状態を示す平面図である。
【図６】本発明の認証媒体の基材上に保護層を設けた場合の、認証部と潜像部を重ね合わせたときの図であり、（ａ）は、本発明の認証媒体の基材上に保護層を設けた場合の断面図であり、（ｂ）は、（ａ）の断面の状態によって得られる穿孔の貫通、非貫通の状態を示す平面図である。
【発明を実施するための形態】
【００２９】
以下に本発明の実施の形態を詳細に説明する。
【００３０】
本発明に関して、図１（ａ）は本発明による認証媒体を実際に用いた商品券の平面図である。また、図１（ｂ）は、（ａ）の認証媒体の潜像媒体部を拡大したときの平面図である。また、図２は、本発明に係わる認証媒体の検証媒体１１を、潜像媒体１５に重ねた時に基材１９の同一面が向き合うように基材１９を変形させた状態を示す斜視図である。図３は本発明に係わる認証媒体を変形させ、検証媒体１１を潜像媒体１５に重ねたときに出現した潜像画像３１，３３の１実施例を示す平面図である。図４は、本発明の認証媒体１１の、検証媒体１５の穿孔４１と潜像媒体１５の穿孔４１，４３を重ねたときの状況を示した状態の斜視図である。図５は、本発明に係わる検証媒体の、認証媒体１１と潜像媒体１５を重ね合わせたときの断面図と、断面の状態によって得られる穿孔の貫通３１、非貫通３３の状態を示す平面図である。図６は、本発明に係わる検証媒体上に、印刷層や保護層６１などを設けた場合の断面図である。
【００３１】
本発明の１実施例の認証媒体は、図１に示すように、基材１９、に設けられた、同一のピッチで貫通した穿孔で形成された第一の穿孔群１３からなる検証部１１と、検証部の第一の穿孔群１３と同一の位置で貫通した第三の穿孔群と、ずらした位置で貫通した第二の穿孔群の２種類で形成された潜像部穿孔１７からなる潜像部１５を具有するものである。
【００３２】
基材１９を、図２のように折り曲げ、検証部１１と、潜像部１５を重ね合わせることにより、図３に示すように、その重ね合わせた２つの穿孔部１３，１７が、貫通した状態で見ることが出来るか、貫通していない状態になるかによって、潜像画像を出現させる仕組みになっている。
【００３３】
前記穿孔部は、検証部１１、潜像部１５ともに径（Ф）は０．０５ｍｍ＜Ф＜０．５ｍｍの範囲であり、且つ、該穿孔間のピッチ（Ｐ）がФ＜Ｐ＜３Фの範囲とすることにより、潜像画像を出現させたときに絵柄として認識できる穿孔の大きさと密度とすることが可能である。
【００３４】
前記穿孔部の検証部１１、潜像部１５の径が０．０５ｍｍ以下の場合、潜像部と検証部を重ね合わせたときに光の透過度が低く、潜像画像が見えにくくなるため、適切ではない。
【００３５】
前記穿孔部の検証部１１、潜像部１５の径が０．５ｍｍ以上の場合、穿孔が目立ち、且つ、有意味な潜像画像を形成するために必要な領域を広く要することから、基材上のデザインに影響を及ぼしやすくなる。また、潜像画像となる第三の穿孔群と、非潜像画像となる第二の穿孔群とのピッチのズレが目立ちやすくなり、検証部と重ねる前に潜像画像が目視で確認できることから、径が０．５ｍｍ以上の穿孔を用いることは適切ではない。
【００３６】
前記穿孔部を形成するにあたり、０．０５ｍｍ＜Ф＜０．５ｍｍの範囲で形成することが可能であるが、穿孔の径が大きくなるにつれて、デザインに影響を及ぼしやすくなることから、０．０５ｍｍ＜Ф＜０．３ｍｍ程度で形成することが望ましい。
【００３７】
前記穿孔３１，３３の形状は、丸型、楕円型、角型などであり、特に限定されるものではない。
【００３８】
また、検証部１１と潜像部１３を形成する、多数の規定されたピッチで貫通した穿孔群を形成する方法は、ＣＯ２レーザーや、ＹＡＧレーザーまたは、穿孔用プレスもしくはミシン目、針などを用いた微細穴あけ装置などを使用することができる。
【００３９】
認証部の穿孔１３，１５を設けるための基材１９の材質は、紙、プラスチック等からなり、折り曲げることが可能であれば、どのような素材でも問題はない。
【００４０】
認証媒体の基材１９透明性に関しては、不透明が最も望ましいが、半透明でもかまわない。透明であることは望ましくない。
【００４１】
基材１９として適切なものは、紙類では、例えば、みつまた、木綿、マニラ麻、亜麻等の繊維を用いた有価証券などの用紙、木材パルプ系の天然繊維を用いた天然和紙、木材パルプ系の天然繊維と合成繊維を用いた混抄和紙、合成繊維のみを用いた合成和紙などの用紙、その他に上質紙、アート紙、コート紙、合成紙等を用いることができる。
【００４２】
また、プラスチックフィルムも、不透明であれば望ましい基材である。これらには、ポリエチレン、ポリプロピレン、ポリ塩化ビニル、ポリスチレン、ポリ酢酸ビニル、テフロン（登録商標）、ＡＢＳ樹脂（アクリロニトリルブタジエンスチレン）、アクリル樹脂などが挙げられる。また、紙、プラスチック以外に金属箔など、不透明であり折り曲げることが可能な素材は前記素材に限定することなく使用することが可能である。
【００４３】
基材１９の厚みは、０．２５〜１８８μｍ程度が好ましく、特に８０〜１００μｍ程度が適切であるが、折り曲げることが可能であればこの範囲に限定するものではない。
【００４４】
図６のように、認証部１１および潜像部１５の穿孔部１３，１７が設けられる箇所に関して、基材以外に、印刷層、保護層６１、ニス、などが設けられていても、穿孔があけられればかまわない。
【実施例１】
【００４５】
厚さ約８０μｍの紙基材上に、図１のように、右端に、ＹＡＧレーザーを用いて、穿孔を径（Ф）が０．３ｍｍ、ピッチ幅（Ｐ）０．６ｍｍで穿ち、認証部を形成した。左端に、認証部と同様に、ＹＡＧレーザーを用いて、穿孔を、非穿孔部となる部分のみを、径（Ф）が０．３ｍｍ、ピッチ幅（Ｐ）０．６ｍｍで穿ち、潜像画像となる部分は、非潜像画像ととなる部分同様の０．０６ｍｍのピッチのまま位置を右に０．２ｍｍずらして穿ち、潜像部を形成した。
【００４６】
図１の認証部と潜像部を設けた基材を図２のように折り曲げて重ね合わせ、潜像部の潜像画像を形成する孔が認証部の穿孔からずれてほとんど孔が塞がる箇所と、非潜像画像を形成する孔は認証媒体の穿孔と位置が一致するため、孔が貫通したままとなる箇所ができた。
【００４７】
図２の状態に重ねた認証媒体を、光にかざした時、孔のほとんどが塞がり光をほぼ透過しない潜像画像部と、孔が重なり合い貫通した状態であるため光を透過する非潜像画像部との、光の明暗によって、図３の潜像の柄が浮かび上がった。
【産業上の利用可能性】
【００４８】
本発明の認証媒体は、主に偽造防止として利用可能である。特に、有価証券の分野には好適に利用が期待されるものである。
【符号の説明】
【００４９】
１１・・・検証部
１３・・・検証部の穿孔
１５・・・潜像部
１７・・・潜像部の穿孔
１９・・・基材
３１・・・検証部と潜像部の穿孔が重なってなる貫通部分
３３・・・検証部と潜像部の穿孔がずれて重ならず塞がれる未貫通部分
４１・・・検証部の穿孔
４３・・・検証部と均一ピッチで貫通した潜像部の穿孔（第二の穿孔群に属する穿孔）
４５・・・検証部の穿孔とずれたピッチで貫通した潜像部の穿孔（第三の穿孔群に属する穿孔）
６１・・・保護層（不透明もしくは透明）、印刷層
【図１】
0005621348.tif 000002
【図２】
0005621348.tif 000003
【図４】
0005621348.tif 000004
【図３】
0005621348.tif 000005
【図５】
0005621348.tif 000006
【図６】
0005621348.tif 000007